【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
開始条件が成立したことに基づいて各々が識別可能な複数種類の識別情報の可変表示を行い表示結果を導出表示する可変表示装置を備え、前記可変表示装置の前記識別情報の表示結果が予め定められた特定表示結果となったときに、遊技者にとって有利な特定遊技状態に制御し、さらに前記識別情報の表示結果が前記特定表示結果のうちで予め定められた特別表示結果となったときに、前記特定遊技状態が終了した後に前記特定表示結果となる確率が通常遊技状態よりも高い特別遊技状態に制御可能な遊技機であって、
遊技の進行を制御する遊技制御手段と、
前記可変表示装置における識別情報の可変表示制御を含む演出制御を行う演出制御手段と、を備え、
前記遊技制御手段は、
前記開始条件が成立したことに基づいて、前記特定遊技状態に制御するか否か、及び前記特定遊技状態が終了した後に前記特別遊技状態に制御するか否かを前記表示結果が導出表示される以前に決定する事前決定手段と、
少なくとも前記識別情報の可変表示を開始してから最終的に表示結果を導出表示するまでの変動期間を決定する可変表示期間決定手段と、
前記事前決定手段によって前記特別遊技状態に制御する旨の決定がなされたときに、前記可変表示装置に前記特定表示結果のうち前記特別表示結果以外の非特別表示結果を一旦導出表示させた後前記識別情報を再度可変表示させて前記特別表示結果か前記非特別表示結果のいずれかを最終的に導出表示させる再抽選演出を実行するか否かを決定する再抽選演出決定手段と、
前記可変表示期間決定手段が決定した変動期間と、前記事前決定手段の決定結果と、前記再抽選演出決定手段の決定結果と、を特定するための情報を送信する情報送信手段と、を含み、
前記演出制御手段は、
前記情報送信手段から送信された前記変動期間を特定するための情報に基づいて識別情報の可変表示を実行する可変表示実行手段と、
前記事前決定手段の決定結果を特定するための情報が前記特定遊技状態に制御する旨を示している場合に、識別情報の可変表示における前記変動期間に含まれる特定期間において前記再抽選演出または前記再抽選演出とは異なる特殊演出を実行する変動中演出実行手段と、を含み、
前記変動中演出実行手段は、
前記変動期間を特定するための情報が所定の変動期間を特定するための情報であり、前記再抽選演出決定手段の決定結果を特定するための情報が前記再抽選演出を実行する旨を示している場合、前記非特別表示結果を一旦導出表示させた後、前記特定期間において、前記識別情報を再度可変表示させて前記特別表示結果か前記非特別表示結果のいずれかを最終的に導出表示させる前記再抽選演出を実行し、
前記変動期間を特定するための情報が前記所定の変動期間を特定するための情報であり、前記再抽選演出決定手段の決定結果を特定するための情報が前記再抽選演出を実行しない旨を示している場合、前記特別表示結果を導出表示させた後、前記特定期間において、再度可変表示させることなく前記特殊演出を実行する
ことを特徴とする遊技機。
【手続補正２】
【補正対象書類名】明細書
【補正対象項目名】０００７
【補正方法】変更
【補正の内容】
【０００７】
上記目的を達成するため、本発明の遊技機は、開始条件が成立したこと（例えばＣＰＵ１０３がステップＳ２３１にてＮｏであると判定したこと）に基づいて各々が識別可能な複数種類の識別情報（例えば飾り図柄）の可変表示を行い表示結果を導出表示する可変表示装置（例えば画像表示装置５）を備え、前記可変表示装置の前記識別情報の表示結果が予め定められた特定表示結果（例えば大当り組合せの最終停止図柄）となったときに、遊技者にとって有利な特定遊技状態に制御し、さらに前記識別情報の表示結果が前記特定表示結果のうちで予め定められた特別表示結果（例えば確変大当り組合せの最終停止図柄）となったときに、前記特定遊技状態が終了した後に前記特定表示結果となる確率が通常遊技状態よりも高い特別遊技状態（例えば確変状態）に制御可能な遊技機（例えばパチンコ遊技機１）であって、遊技の進行を制御する遊技制御手段（例えばＣＰＵ１０３）と、前記可変表示装置における識別情報の可変表示制御を含む演出制御を行う演出制御手段（例えば演出制御用ＣＰＵ１２０）と、を備え、前記遊技制御手段は、前記開始条件が成立したことに基づいて、前記特定遊技状態に制御するか否か、及び前記特定遊技状態が終了した後に前記特別遊技状態に制御するか否かを前記表示結果が導出表示される以前に決定する事前決定手段（例えばＣＰＵ１０３がステップＳ２３８及びＳ２３９の処理、あるいは、ステップＳ２４５及びＳ２４６の処理を実行する部分、ステップＳ２４８及びＳ２４９の処理を実行する部分）と、少なくとも前記識別情報の可変表示を開始してから最終的に表示結果を導出表示するまでの変動期間（例えば特図変動時間）を決定する可変表示期間決定手段（例えばＣＰＵ１０３がステップＳ２７２からＳ２７６の処理を実行する部分）と、前記事前決定手段によって前記特別遊技状態に制御する旨の決定がなされたときに、前記可変表示装置に前記特定表示結果のうち前記特別表示結果以外の非特別表示結果を一旦導出表示させた後前記識別情報を再度可変表示させて前記特別表示結果か前記非特別表示結果のいずれかを最終的に導出表示させる再抽選演出を実行するか否かを決定する再抽選演出決定手段（例えばＣＰＵ１０３がステップＳ２４８及びＳ２４９の処理を実行する部分）と、前記可変表示期間決定手段が決定した変動期間と、前記事前決定手段の決定結果と、前記再抽選演出決定手段の決定結果と、を特定するための情報（例えば変動パターン指定コマンド、可変表示結果通知コマンドなど）を送信する情報送信手段（例えばＣＰＵ１０３がステップＳ１７のコマンド制御処理において変動パターン指定コマンドや可変表示結果通知コマンドを主基板１１から演出制御基板１２に伝送する部分）と、を含み、前記演出制御手段は、前記情報送信手段から送信された前記変動期間を特定するための情報に基づいて識別情報の可変表示を実行する可変表示実行手段（例えば演出制御ＣＰＵ１２０がステップＳ１６２の処理を実行する部分）と、前記事前決定手段の決定結果を特定するための情報が前記特定遊技状態に制御する旨を示している場合に、識別情報の可変表示における前記変動期間に含まれる特定期間（例えば再抽選演出実行期間）において前記再抽選演出または前記再抽選演出とは異なる特殊演出を実行する変動中演出実行手段（例えば演出制御ＣＰＵ１２０がステップＳ６１２、Ｓ６１５、及びＳ６１６の処理を実行する部分）と、を含み、前記変動中演出実行手段は、前記変動期間を特定するための情報が所定の変動時間を特定するための情報であり、前記再抽選演出決定手段の決定結果を特定するための情報が前記再抽選演出を実行する旨を示している場合、前記非特別表示結果を一旦導出表示させた後、前記特定期間において、前記識別情報を再度可変表示させて前記特別表示結果か前記非特別表示結果のいずれかを最終的に導出表示させる前記再抽選演出を実行し（例えば演出制御ＣＰＵ１２０がステップＳ５７３でＹｅｓであると判定したときにステップＳ５７４の処理で再抽選演出実行フラグをセットし、ステップＳ５１７の処理で再抽選演出実行フラグに基づいて図柄変動制御パターンを選択し、当該図柄変動制御パターンに基づきステップＳ６１２、Ｓ６１５、及びＳ６１６の処理で再抽選演出を実行し）、前記変動期間を特定するための情報が前記所定の変動期間を特定するための情報であり、前記再抽選演出決定手段の決定結果を特定するための情報が前記再抽選演出を実行しない旨を示している場合、前記特別表示結果を導出表示させた後、前記特定期間において、再度可変表示させることなく前記特殊演出を実行する（例えば演出制御ＣＰＵ１２０がステップＳ５７１でＹｅｓであると判定したときにステップＳ５７２の処理で特殊演出実行フラグをセットし、ステップＳ５１７の処理で特殊演出実行フラグに基づいて図柄変動制御パターンを選択し、当該図柄変動制御パターンに基づきステップＳ６１２、Ｓ６１５、及びＳ６１６の処理で特殊演出を実行する）ことを特徴とする。